(57)【特許請求の範囲】
【請求項１】
偏平な直方体からなるディスク装置と、前記ディスク装置の外周面に対向して配置される折り目を有する樹脂シートと、前記ディスク装置の扁平な上面と下面および各側面とそれぞれ対向する大きさの可撓性独立気泡発泡体よりなる衝撃吸収シートと、前記ディスク装置と前記樹脂シートと前記衝撃吸収シートとを収納する外箱とを具備し、
前記外箱内に前記ディスク装置を前記樹脂シートとこの樹脂シートに接着した衝撃吸収シートを介して収納し、該樹脂シートと衝撃吸収シートは、ディスク装置の上面および下面と外箱との間には、ディスク装置外周面、衝撃吸収シート、樹脂シート、外箱の順になるように配置し、ディスク装置の各側面と外箱との間には、ディスク装置外周面、樹脂シート、衝撃吸収シート、外箱の順になるように配置し、
かつ、前記ディスク装置の高さをＨ、幅をＷ、長さをＬとし、衝撃吸収シートの厚みをｔ１とした時、前記ディスク装置の上面および下面と外箱との間に配される樹脂シートと衝撃吸収シートの大きさをＷ×Ｌとし、前記ディスク装置の幅に対向する樹脂シートと衝撃吸収シートの大きさをＷ×（Ｈ＋２×ｔ１）とし、前記ディスク装置の長さに対向する樹脂シートと衝撃吸収シートの大きさをＬ×（Ｈ＋２×ｔ１）としたことを特徴とする耐衝撃ディスク装置。
【請求項２】
樹脂シートの一部にタグを形成し、前記タグが外箱に設けた開口から引出されていることを特徴とする請求項１に記載の耐衝撃ディスク装置。
【発明の詳細な説明】
【０００１】
【発明の属する技術分野】
本発明は衝撃緩衝装置を有するディスク装置に関し、さらに詳しくはハードディスク装置、フロッピーディスク装置、光ディスク装置、光磁気ディスク装置のような衝撃による影響を受けやすい装置を保持して衝撃から保護すると共に、該装置を情報処理装置から取外した状態で安全に保管することができる耐衝撃ディスク装置に関する。
【０００２】
【従来の技術】
近年、ノートパソコンのような情報処理装置は、軽量化、小型化、および薄型化が進み屋外で使用されるなど携帯性の向上が図られている。そのような携帯性を有する情報処理装置において、上述したディスク装置が情報を記憶する記憶装置として用いられる。記憶容量を拡張、あるいは記憶情報の機密保持のためこれら記憶装置を情報処理装置から随時着脱する機会が増えている。取外された記憶装置は、それ自体で携帯されたり、個別に保管されたりされる。
【０００３】
この結果、情報処理装置内部に保持されている記憶装置には、携帯時の振動、衝撃が情報処理装置を経由して加わる。また、情報処理装置より取外して携帯した場合には、振動や衝撃が直接ディスク装置に加わるため、より大きな損傷を被ることになる。このような事態を避けるために、情報処理装置内に保持、あるいは取外した場合において、ディスク装置の損傷を防止する工夫がなされている。
【０００４】
図６は従来の耐衝撃ハードディスク装置の一例を示す斜視図である。図６において、５０、５１はゲル状物質、５２はハードディスク装置、５３、５４は外箱である。ゲル状物質５０、５１はハードディスク装置５２の外形に合わせて成形されており、ハードディスク装置５２をゲル状物質５０に入れ、上よりゲル状物質５１で蓋をする。これを外箱５３に入れ、蓋５４を被せていた。ゲル状物質５０、５１の厚みは約１０ｍｍであり、耐衝撃性には優れるが厚みが厚く嵩張る欠点があった。特に小型・薄型のノート型パーソナルコンピュータでは厚さだけでなく、ゲル状物質の重量も携帯性を阻害するものであった。またゲル状物質は軟質で扱いにくい欠点があった。
【０００５】
【発明が解決しようとする課題】
本発明は上記課題を解決するもので、組立て性、携帯性、コストに優れた小型、軽量の耐衝撃ディスク装置を提供することを目的とするものであり、情報処理装置本体の小型、軽量化を達成すると共に、情報処理装置よりの着脱が容易な耐衝撃ディスク装置を提供する。
【０００６】
【課題を解決するための手段】
本発明の耐衝撃ディスク装置は、緩衝材料として市販されている独立気泡型のポリウレタンシートを衝撃吸収シートとして使用し、折り目を入れた薄い樹脂シートに衝撃吸収シートを接着し、樹脂シートと衝撃吸収シートでディスク装置を包む構成としている。このため、従来の耐衝撃ディスク装置と比較すると大幅な薄型化、軽量化、コストダウンを達成することができる。
【０００７】
【発明の実施の形態】
本発明は、偏平なディスク装置と、前記ディスク装置の外周面に対向して配置される折り目を有する樹脂シートと、可撓性独立気泡発泡体よりなる衝撃吸収シートと、前記ディスク装置と前記樹脂シートと前記衝撃吸収シートとを収納する外箱とを具備し、ディスク装置の外周面に前記樹脂シートと衝撃吸収シートを、ディスク装置を包み込むように配置して外箱内に収納したものであり、これによってコストダウンを達成するとともに、一体成形品を使用するのと同等の組み立て性、メンテナンス性を実現することができる。
【０００８】
また、本発明は、１枚の樹脂シートが、ディスク装置の外周部に対する６面の対向面を有することを特徴とするものであり、一回の操作によって衝撃吸収シートの組立て、取外しが可能である。
【０００９】
また、本発明は、樹脂シートの厚みが０．１ｍｍ以上であることを特徴とするものであり、樹脂シートにより衝撃吸収シートが確実に支持されるのでディスク装置の組立て時、分解時の操作性がよい。
【００１０】
また、本発明は、ディスク装置の２面の偏平面に対しては、前記ディスク装置、衝撃吸収シート、樹脂シート、外箱の順に、他の４面に対しては、前記ディスク装置、樹脂シート、衝撃吸収シート、外箱の順に配置されることを特徴とするものであり、ディスク装置の外周面の断面積が小さな４面に対しては、樹脂シート面全面が衝撃を受け止めるために良好な耐衝撃性が得られる。
【００１１】
さらに、本発明は、樹脂シートの一部にタグを有し、前記タグが外箱から引出されていることを特徴とするものであり、タグを引くことによって耐衝撃性ディスク装置を機器本体より容易に取外すことができる。
【００１２】
また、本発明は、樹脂シートが連続していることを特徴とするものであり、上面にある樹脂シートを引くことによってディスク装置を外箱より引出すことができる。
【００１３】
以下、本発明の実施の形態を、図１から図５を用いて詳細に説明する。
【００１４】
（実施の形態１）
実施の形態１によって、本発明に係わるディスク装置としてハードディスク装置を一例として説明する。
【００１５】
図１（ａ）は本発明の実施の形態１に係る耐衝撃ハードディスク装置の外観を示す斜視図、図１（ｂ）はハードディスク装置の斜視図、図２は展開した樹脂シートの正面図、図３は衝撃吸収シートを接着した樹脂シートの正面図、図４は耐衝撃ハードディスク装置の矢視Ａ方向の断面図、図５は情報処理装置より耐衝撃ハードディスク装置の取外しを説明する斜視図である。
【００１６】
図１、図２、図３において、１は耐衝撃ハードディスク装置、２は上ケース、３は下ケース、５はタグ、６は信号ケーブル、７、８は開口、９はハードディスク装置、１０ａ、１０ｂ、１０ｃ、１０ｄ、１０ｅ、１０ｆは樹脂シート、１１ａ、１１ｂ、１１ｃ、１１ｄ、１１ｅは折り目、１２は切れ目、１３ａ、１３ｂ、１３ｃ、１３ｄ、１３ｅ、１３ｆは、それぞれ樹脂シート１０ａ、樹脂シート１０ｂ、樹脂シート１０ｃ、樹脂シート１０ｄ，樹脂シート１０ｅ、樹脂シート１０ｆの上に貼り付けた独立した衝撃吸収シートである。
【００１７】
図１（ａ）に示すように実施の形態１のハードディスク装置９は、アルミニウム製のケース２、３の中に収容されており、情報処理装置と接続する信号ケーブル６と耐衝撃ハードディスク装置１を情報処理装置より取外すためのタグ５が、ケース２、３に設けた開口７、８より露出している。ハードディスク装置９は偏平した直方体で内部にディスク、駆動モータ、記録部、駆動回路等を内蔵し金属製のケースで覆われている。ハードディスク装置９とケース２、３との隙間には、樹脂シート１０と衝撃吸収シート１３とよりなる緩衝材が充填され、ハードディスク装置９を衝撃から保護している。ハードディスク装置９の外寸法は高さ７ｍｍ、幅７０ｍｍ、長さ１００ｍｍ、ケース２、３はｔ３＝０．３ｍｍのアルミニウム板製の箱である。
【００１８】
図２、図３によって緩衝材の構成を説明する。実施の形態１の樹脂シート１０は、ｔ２＝０．２ｍｍのポリエステルフィルムである。樹脂シート１０には折り目１１が設けられ、折り目１１に沿って９０°の角度に折り畳むと、ハードディスク装置９より一回り大きな直方体となる。樹脂シート１０には切れ目１２が入れられており、切れ目１２に沿って起こすと折り目１１を支点として回動するタグ５が形成される。
【００１９】
ここで、実施の形態１で使用した衝撃吸収シート１３について説明する。材料は市販のウレタンフォームで、表層にスキンが形成されたｔ１＝３．５ｍｍのシートであり、密度０．０６ｇ／立方ｃｍの可撓性独立気泡ポリウレタン発泡体（独泡率約７０％）である。独泡率が４０％以下の場合には衝撃を受けた場合、短時間に気泡内の空気が押出され緩衝能力を失う。独泡率６０〜８０％の場合、気泡内の空気が押出されるのに適当時間を要し、また元に戻るためにも適当時間を要するため緩衝能力が大きい（特開平６−１３６０８４号公報等を参照）。
【００２０】
上記材料よりなる衝撃吸収シート１３は、図２の型紙に合わせて、切り出したものであり、６片に切り分けられて樹脂シート１０の上に接着されている。衝撃吸収シート１３ａ、１３ｂはハードディスク装置９の上面、下面に対向するものであり、衝撃吸収シート１３ａ、１３の面積は、該上面、該下面の面積と同一面積である。図３において、衝撃吸収シート１３ａ、１３ｂの表面は紙面の方向を向いている。衝撃吸収シート１３ｃ、１３ｄ、１３ｅ、１３ｆは、ハードディスク装置９の側面に対向するものであり、該側面の面積よりも一回り大きく、図３において、夫々の接着面が紙面の方向を向いている。
【００２１】
図３に示すように、樹脂シート１０、衝撃吸収シート１３を置き、樹脂シート１０ａの上にハードディスク装置９の底面を重ねる。樹脂シート１０ｂ、１０ｃ、１０ｄ、１０ｅ、１０ｆを折り目１１に沿って起こすことによって、ハードディスク装置９を緩衝シートで包むことができる。この包装物を下ケース３に詰め、上から上ケース２を被せ、信号ケーブル６、タグ５を開口部７、８より引き出すと図１の耐衝撃ハードディスク装置１が完成する。
【００２２】
ハードディスク装置９の寸法を、高さＨ、幅Ｗ、長さＬ、衝撃吸収シート１３の厚みをｔ１、樹脂シート１０の厚みをｔ２、ケース２、３の厚みをｔ３とする。衝撃吸収シート１３ａ、１３ｂ、樹脂シート１０ａ、１０ｂの大きさはＷ×Ｌ、衝撃吸収シート１３ｃ、１３ｅ、樹脂シート１０ｃ、１０ｅの大きさはＷ×（Ｈ＋２×ｔ１）、衝撃吸収シート１３ｄ、１３ｆ、樹脂シート１０ｄ、１０ｆの大きさはＬ×（Ｈ＋２×ｔ１）である。また、ケース３の内寸法は（Ｈ＋２×（ｔ１＋ｔ２））、（Ｗ＋２×（ｔ１＋ｔ２））、（Ｌ＋２×（ｔ１＋ｔ２））である。
【００２３】
図１において、矢視Ａ方向の断面図を図４に示す。ハードディスク装置９の上面、底面は、直接衝撃吸収シート１３ａ、および１３ｂと接触している。これに対してハードディスク装置９の４側面は、樹脂シート１０ｃ、１０ｄ、１０ｅ、１０ｆを介して衝撃吸収シート１３ｃ、１３ｄ、１３ｅ、１３ｆと当接している。衝撃吸収シート１３ｃ、１３ｄ、１３ｅ、１３ｆの高さは、ハードディスク装置９の側面の高さに対して、衝撃吸収シート１３の２枚分だけ厚くしている。即ち、ハードディスク装置９の高さ７ｍｍに対して、２倍の１４ｍｍとしている。
【００２４】
一般に、ディスク装置は偏平直方体であり、上面、底面の断面積に比較すると側面の断面積は小さい。従って、左右、前後方向の衝撃に対しては緩衝効果が少なくなる。実施の形態１では、樹脂シート１０として、ｔ２＝０．２ｍｍのポリエステルフィルムを使用した。瞬間的な力に対して樹脂シート１０は十分な剛性を有するため、高さＨ部の衝撃吸収シート１３が衝撃を緩衝し、衝撃吸収シート１３が逆面に接着された上面、底面のような場合の２倍の断面積となる。直接ハードディスク装置９の側面が衝撃吸収シート１３と接していた場合、衝撃吸収シート１３の背の高さが（Ｈ＋２×ｔ１）であったとしても、衝撃を支えるのは実質Ｈ相当分だけである。ｔ２が０．１ｍｍ未満の場合には、腰が弱く衝撃吸収断面積を拡大する効果が少なくなる。
【００２５】
図５は情報処理装置２０に実施の形態１の耐衝撃ハードディスク装置１を取付けた状態を示す斜視図である。耐衝撃ハードディスク装置１は収納枠２２に支持されている。蓋２１を開けるとタグ５が上面に折られている。接続ケーブル６をコネクタより引き抜き、タグ５を上方に引くと耐衝撃ハードディスク装置１を外すことができる。取外した耐衝撃ハードディスク装置１は、小型、軽量でポケットにも入れることができる。また、十分な耐衝撃性を有するので、裸で持ち歩いても記憶情報が破壊されることはない。
【００２６】
また、上ケース２を開けて樹脂シート１０ｂを引き出すと、樹脂シート１０に包んだままハードディスク装置９を取外すことができる。樹脂シート１０ｂが設けていない従来装置においては、接続ケーブル６を引出すことがあり、このために接続ケーブル６を損傷する危惧があった。
【００２７】
また、樹脂シートとしてはポリカーボネート、塩化ビニール等が使用できる。
【００２８】
また、発泡体としてはポリエチレンフォーム等が使用できる。
【００２９】
実施の形態１において、ディスク装置の外周面から外箱内周面までの平均距離が６方向において等しく、かつ前記平均距離と（樹脂シート＋衝撃吸収シート）の合計の厚みとを略等しくしたが、ディスク装置が衝撃に対して方向性を有する場合には、方向性に対応して衝撃吸収シートの厚みを設定すればよい。
【００３０】
また、（樹脂シート＋衝撃吸収シート）の合計の厚みをディスク装置の外周面から外ケース内周面の隙間よりも大きくすることによって、緩衝手段の厚みを薄くすることができる。また、疎水性のウレタンフォームを使用する場合には、ウレタンフォームを圧縮して充填することにより、気密性をよくし、透湿性を改善することができる。
【００３１】
【発明の効果】
本発明の耐衝撃ディスク装置は以下の効果を有する。
（１）汎用に市販されている樹脂シートと発泡シートとを接着して緩衝材としたので、コストが安く、かつ小型、軽量であり、ノート型パソコンに搭載するものとして最適である。そして、ディスク装置の外周面の断面積が小さな４面においては、大きな樹脂シート面が衝撃を受け止めるために良好な耐衝撃性が得られ、情報処理装置から取外した状態で携帯されても安心であり、また、安全に保管することができるという有益なものである。
（２）樹脂シートに折り目を設けたので、ディスク装置の着脱が容易である。
（３）樹脂シートにタブを設けたので、パソコン本体からの着脱が容易である。
【図面の簡単な説明】
【図１】  （ａ）本発明の実施の形態１に係わる耐衝撃ハードディスク装置の外観を示す斜視図
（ｂ）ハードディスク装置の外観を示す斜視図
【図２】  本発明の実施の形態１に係わる樹脂シートの展開正面図
【図３】  本発明の実施の形態１に係わる樹脂シートに衝撃吸収シートを接着した正面図
【図４】  本発明の実施の形態１に係わる耐衝撃ハードディスク装置の断面図
【図５】  情報処理装置に取付けた耐衝撃ハードディスク装置の斜視図
【図６】  従来の耐衝撃ハードディスク装置の構成の一例を示す組立て図
【符号の説明】
１  耐衝撃ハードディスク装置
２、３  ケース
５  タグ
９  ハードディスク装置
１０  樹脂シート
１１  折り目
１３  衝撃吸収シート
【図１】
0004269448.tif 000002
【図２】
0004269448.tif 000003
【図３】
0004269448.tif 000004
【図４】
0004269448.tif 000005
【図５】
0004269448.tif 000006
【図６】
0004269448.tif 000007